(57)【特許請求の範囲】
【請求項１】
基材シート（１１）と、その基材の主面上に配置される空間的に分離した一連の光学要素（１２）とを備えた窓ガラスパネル（１０）であって、
前記各要素（１２）は、当該要素の第１側端部から第２側端部に到る、前記基材の平面に平行な当該要素の幅（Ｚ）に沿って変化する光透過率を有しており、
前記第１側端部は前記第２側端部よりも光透過性に劣っており、
前記基材の平面に直交する方向の各要素の厚み（Ｘ）は、前記第２側端部よりも第１側端部において大きく、
各要素（１２）の前記第１側端部には反射側面（１３）を備え、当該反射側面（１３）は、前記基材の平面と略平行な方向を向き且つ連続する隣接要素とほぼ同じ方向に面している、ことを特徴とする窓ガラスパネル。
【請求項２】
各要素の少なくとも一部の光透過率は、当該要素の前記第１側端部から第２側端部へ徐々に増大する、請求項１に記載の窓ガラスパネル。
【請求項３】
前記要素は、その隣の要素の反射側面の前記基材表面からの高さにほぼ等しい距離だけ隔てられている、請求項１または２に記載の窓ガラスパネル。
【請求項４】
前記要素間の空間的な隔たりは、前記基材の長さまたは幅に応じて変化する、請求項３に記載の窓ガラスパネル。
【請求項５】
前記要素（１２）は、前記基材の幅の全体または一部分に沿って延びるライン（４２，４３，４４）からなる、請求項１〜４のいずれか一項に記載の窓ガラスパネル。
【請求項６】
前記要素（１２）は、空間的に隔てられたドット、ピクセル、または前記基材に沿って展開するドット及びピクセル以外の独立した要素からなるアレイ形態をなしている、請求項１〜４のいずれか一項に記載の窓ガラスパネル。
【請求項７】
前記要素の反射側面がすべてほぼ同じ方向を向いている、請求項１〜６のいずれか一項に記載の窓ガラスパネル。
【請求項８】
前記要素の反射側面の向きが前記基材に沿って変化する、請求項１〜６のいずれか一項に記載の窓ガラスパネル。
【請求項９】
前記基材はガラスからなる、請求項１〜８のいずれか一項に記載の窓ガラスパネル。
【請求項１０】
前記基材は、当該パネルを通過する可視光量および／または太陽エネルギー量を制御するスペクトル選択性材料からなる、請求項１〜９のいずれか一項に記載の窓ガラスパネル。
【請求項１１】
前記要素は、前記基材に対し直接的に適用されている、請求項１〜１０のいずれか一項に記載の窓ガラスパネル。
【請求項１２】
前記要素が適用される前記基材の表面がプラズマ処理されている、請求項１１に記載の窓ガラスパネル。
【請求項１３】
前記要素は、前記基材に貼着されたフィルムに適用されている、請求項１〜１０のいずれか一項に記載の窓ガラスパネル。
【請求項１４】
前記フィルムは、当該パネルを通過する可視光量および／または太陽エネルギー量を制御するスペクトル選択性フィルムからなる、請求項１３に記載の窓ガラスパネル。
【請求項１５】
前記スペクトルのフィルター特性は、当該パネルを横切るにつれて変化する、請求項１０または１４に記載の窓ガラスパネル。
【請求項１６】
前記基材は、別の基材と平行に設置されている、請求項１〜１５のいずれか一項に記載の窓ガラスパネル。
【請求項１７】
前記両基材は、窓ガラスユニットを形成すべく、それらの周辺部において相互連結されている、請求項１６に記載の窓ガラスパネル。
【請求項１８】
前記要素は、それらが前記二つの基材間に配置されるように、一方の基材の側面に対面する他方の基材の側面に取着されている、請求項１６または１７に記載の窓ガラスパネル。
【請求項１９】
前記要素が基材間に配置された状態で、前記基材が別の基材とラミネートされている、請求項１〜１５のいずれか一項に記載の窓ガラスパネル。
【請求項２０】
前記要素は、前記両基材の一方の表面に対し直接的に適用されている、請求項１９に記載の窓ガラスパネル。
【請求項２１】
前記両基材は互いに接合されている、請求項２０に記載の窓ガラスパネル。
【請求項２２】
前記要素は、前記両基材間に配置されるフィルムに対して適用されている、請求項１９に記載の窓ガラスパネル。
【請求項２３】
前記フィルムは、穴を介して両基材の直接的接着ができるように穴あけされている、請求項２２に記載の窓ガラスパネル。
【請求項２４】
前記要素は、保護層の背後に位置している、請求項１〜１６のいずれか一項に記載の窓ガラスパネル。
【請求項２５】
前記保護層はラッカーからなる、請求項２４に記載の窓ガラスパネル。
【請求項２６】
前記要素は、インクまたはそれと同様の材料を前記基材上に堆積することにより形成されている、請求項１〜１１のいずれか一項に記載の窓ガラスパネル。
【請求項２７】
前記要素は、インクまたはそれと同様の材料を、前記基材に貼着されたフィルム上に堆積することにより形成されている、請求項１３に記載の窓ガラスパネル。
【請求項２８】
前記要素は、均一色のインクまたはそれと同様の材料を堆積することにより形成されている、請求項２６または２７に記載の窓ガラスパネル。
【請求項２９】
前記要素の光透過率は、プリントされる前記インクまたは他材料の量を変えることで変化する、請求項２８に記載の窓ガラスパネル。
【請求項３０】
前記インクまたは他材料は、前記基材またはフィルム上に同じ濃度のインク素を堆積することで適用され、光透過率は、インク素の間隔および／またはインク素の重なりの程度を変えることで変化する、請求項２９に記載の窓ガラスパネル。
【請求項３１】
各要素の前記反射側面は、当該要素の前記第２側端部におけるよりも前記第１側端部おいてより多くのインクまたはインク素を堆積することで形成される、請求項２６〜３０のいずれか一項に記載の窓ガラスパネル。
【請求項３２】
各要素の前記反射側面は、白色インクを堆積することで形成される、請求項２６〜３１のいずれか一項に記載の窓ガラスパネル。
【請求項３３】
各要素の前記反射側面は、当該要素の前記第１側端部において白インク上に複数色のインクを堆積すると共に、更にその着色インクが、当該着色インクを覆い隠す白インクによりオーバープリントされることで形成される、請求項３２に記載の窓ガラスパネル。
【請求項３４】
各要素の光透過率は、当該要素の前記第１側端部と第２側端部との間で急激に、徐々にまたは線形的に変化する、請求項１〜３３のいずれか一項に記載の窓ガラスパネル。
【請求項３５】
各要素の厚みは、当該要素の前記第１側端部と第２側端部との間で急激に、徐々にまたは線形的に変化する、請求項１〜３４のいずれか一項に記載の窓ガラスパネル。
【請求項３６】
前記要素は、断面において三角形状または段差状である、請求項３５に記載の窓ガラスパネル。
【請求項３７】
前記要素は、色彩において略白色である、請求項１〜３６のいずれか一項に記載の窓ガラスパネル。
【請求項３８】
前記要素の反射側面は、金属化されているか、または、高いスペクトル反射率を有する別の素材を備えている、請求項１〜３７のいずれか一項に記載の窓ガラスパネル。
【請求項３９】
前記要素の前面または後面は、少なくとも前記側面とは異なる色で形成されている、請求項１〜３８のいずれか一項に記載の窓ガラスパネル。
【請求項４０】
各要素は、前記基材に接着されるところの事前形成された三次元形状を備えてなる、請求項１に記載の窓ガラスパネル。
【請求項４１】
前記三次元形状は、平面形状から変形させられたシート素材からなる、請求項４０に記載の窓ガラスパネル。
【請求項４２】
前記シート素材は、光学要素（１２）を形成する手段を印刷されているか又は具備するものであり、
前記光学要素を形成する手段は、第１部分と、第２部分とを備え、
前記第１部分は、形成される光学要素の本体部分を構成すると共に、当該要素の第１側端部から第２側端部までその幅に沿って変化する光透過率を有しており、且つ第１側端部は第２側端部よりも光透過性に劣っており、
前記第２部分は、形成される光学要素の第１側端部にあって光反射性であり、
前記シート素材を変形することで、前記第２部分が、当該シートの平面から外に延び、且つ、当該シートの平面と略平行な方向を向くと共に連続する隣接要素とほぼ同じ方向に面している前記反射側面（１３）を提供する、請求項４１に記載の窓ガラスパネル。
【請求項４３】
前記シート素材は、各光学要素（１２）をそれぞれに形成する空間的に隔てられた平行なストリップ又は帯（４１）を印刷されているか又は具備するものであり、
前記ストリップ又は帯（４１）の各々は、第１の縦長区域としての下側ライン（４４）と、第２の縦長区域としての上側ライン（４２）とを備え、
前記第１の縦長区域としての下側ライン（４４）は、光学要素の第１側端部から第２側端部まで当該下側ラインの幅に沿って変化する光透過率を有しており、且つ第１側端部は第２側端部よりも光透過性に劣っており、
前記第２の縦長区域としての上側ライン（４２）は、光学要素の第１側端部にあって光反射性であり、
前記シート素材を変形することで、前記第２の縦長区域としての上側ライン（４２）が当該シートの平面から外に延び、且つ、基材の平面と略平行な方向を向くと共に連続する隣接要素とほぼ同じ方向に面している前記反射側面（１３）を提供する、請求項４１に記載の窓ガラスパネル。
【請求項４４】
前記シート素材は、光の通過を許容する透明な領域（４５）を有しており、当該シート素材を変形することで形成される前記光学要素（１２）は前記透明な領域（４５）によって互いに分離される、請求項４２または４３に記載の窓ガラスパネル。
【請求項４５】
請求項１〜４４のいずれかに記載した窓ガラスパネルを形成する方法であって、この方法は次の工程、即ち、
窓ガラスパネルが設けられるべき場所に入射される外光を調査する工程と、
前記の調査に応じて、
ａ．空間的に分離した光学要素（１２）、
ｂ．光学要素の反射側面（１３）の高さ（Ｘ）、および／または、
ｃ．基材（１１）の平面に平行な光学要素の幅（Ｚ）に沿った、当該光学要素の第１及び第２側端部間の距離
の各パラメータを選択的に変更する工程と、
前記パラメータ選択に応じた前記要素を前記基材に適用する工程と、
を備えてなる窓ガラスパネルの形成方法。
【請求項４６】
既に本来の場所にある基材パネルに対し前記要素を適用する、請求項４５に記載の窓ガラスパネルの形成方法。
【請求項４７】
本来の場所に設置するための基材パネルに対し前記要素を適用する、請求項４５に記載の窓ガラスパネルの形成方法。
【請求項４８】
日中における光の変化を考慮して、前記基材の領域にわたり前記パラメータを選択的に変更する、請求項４５に記載の窓ガラスパネルの形成方法。
【請求項４９】
外部的な日よけを考慮して、前記基材の領域にわたり前記パラメータを選択的に変更する、請求項４５に記載の窓ガラスパネルの形成方法。
【発明の詳細な説明】
【技術分野】
【０００１】
本発明は、窓ガラスパネル、即ち、該パネルを通過する太陽光によってもたらされる不都合なギラギラ光（反射）や熱を制御する窓ガラスパネルに関する。
【背景技術】
【０００２】
太陽光を減衰すると共に向きを変えるために、建物の窓ガラスパネルの背後を横切るようにベネチアンブラインド形態で水平なスラット（羽根板）を設置することがよく知られている。そのようなブラインドは問題の一時的な解決策に過ぎず、その効果は、ブラインドが下げられて正確に調節されることに依存している。
【０００３】
また、太陽光を減衰すると共に向きを変えるために、建物の窓ガラスパネルの前面を横切るように常設の水平スラットを設置することもよく知られている。そのようないわゆるブライズ・ソレイル(brise soleil)、つまり太陽ベールは、掃除および維持管理が困難であるだけでなく、設置費用が高額で、見栄えが悪く、重たい。これまでに、そのようなブライズ・ソレイルが、台湾特許出願TW552344Bに開示されている。
【発明の概要】
【発明が解決しようとする課題】
【０００４】
上述のような問題点を緩和する窓ガラスパネルを、ここに考案したものである。
【課題を解決するための手段】
【０００５】
本発明によれば、基材シートと、その基材の主面上に配置される空間的に分離した一連の光学要素とを具備した窓ガラスパネルが提供される。各要素は、当該要素の第１サイド（第１側端部）から第２サイド（第２側端部）に到るまで前記基材の平面に平行な当該要素の幅に沿って変化する光透過率を有しており、前記第１サイドは前記第２サイドよりも光透過性に劣っている（光透過率が小さい）。そして、前記基材の平面に直交する方向の各要素の厚みは、要素の第２サイドよりも第１サイドにおいて大きい。各要素の前記第１サイドは、前記基材の平面と略平行な方向を向き且つ連続する隣接要素とほぼ同じ方向に面する反射側面を備えている。
【０００６】
使用時には、窓ガラスパネルは、要素の反射側面がほぼ上方を向くように設置される。上空から窓ガラスパネルの一側面に太陽光が下に向かって降り注ぐとき、上向きの反射側面に入射した光は、部屋の天井あるいは当該窓ガラスパネルの反対側の領域に向けて上向きに反射される。こうして室内の人々に入射する直射日光の量が実質的に低減されるが、それでも、向きを変えられた光は、室内または他の領域において十分な程度の自然光を（依然として）維持する。
【０００７】
好ましくは、各要素の少なくとも一部の光透過率は、当該要素の前記第１サイドから第２サイドに向かって徐々に増大する。
【０００８】
反射側面の総面積は、窓ガラスパネルの面積と比べてかなり大きく（例えば３倍大きく）あることができ、これにより、直射太陽光の大部分が上向きに反射されると共に、当該反射側面の配置角度に基づいて向きを変えられる。
【０００９】
要素の前面に入射される全ての光は、当該要素の光透過率に応じてそれら要素を透過する。入射光の一部は、要素を通過するときに、反射され、吸収され、および／または、拡散（分散）されるのであり、これにより、窓ガラスパネルを直接通過する光の強度および／または色がコントロールされる。
【００１０】
本発明に従う窓ガラスパネルは、簡素（単純）で、安価で、軽量構造であるが、部屋または他の領域に進入する光の量を確実に制御することができる。
【００１１】
要素は空間的に分離されており、従って一部の太陽光は通常のように窓ガラスパネルの基材を直接通過することができる。要素相互の分離、要素の面積および反射面の面積はすべて、部屋または他の領域に進入する光の特性を制御するために選択され得る点は、理解されよう。好ましくは、要素は、その隣の要素の反射面の基材の表面からの高さにほぼ等しい距離だけ（互いに）隔てられている。
【００１２】
要素間の空間的な隔たりは、基材の長さまたは幅に応じて変えてもよく、例えば、可視性を改善するために窓ガラスパネルの底部で要素をより少なくし、且つ、上空からの直射日光から室内の人々を遮光するために窓ガラスパネルの頂部で要素をより多くするようなやり方で、要素間の空間的な隔たりを変化させてもよい。
【００１３】
好ましい実施形態では、要素は、基材の幅を全体的または部分的に横切って延びるライン（線状材）であって、使用時には略水平に且つ互いに平行に横たわるライン（線状材）を含むものである。
【００１４】
別の実施形態では、要素は、空間的に隔てられたドット（点）、ピクセル、または基材の幅および長さを横切って展開するその他の個別要素からなるアレイ形態であってもよい。
【００１５】
要素の反射面はすべて同じ方向を向いていてもよい。あるいは、日中における光の方向および強さの変化や外部の日除けのことを考慮して室内に進入する光の特性を制御するために、（反射面の）方向は基材の幅および／または長さにわたって変化させてもよい。
【００１６】
好ましくは、前記基材はガラスからなる。要素は、基材に対し直接に、または基材に貼着されたフィルムに対して適用されてもよい。前者の場合、要素が適用される基材の表面は、好ましくは、例えばプラズマで処理される。後者の場合、フィルムは、パネルを通過する可視光量および／または太陽エネルギー量を制御するスペクトル選択性のフィルム（スペクトル選別フィルム）からなってもよい。あるいは、基材は、スペクトル選択性の層で被覆されてもよい。フィルムのフィルター特性は、その幅および／または長さに沿って変化してもよい。
【００１７】
基材は、窓ガラスユニットを形成すべく周辺部において相互連結される別の基材と平行に設置されてもよい。好ましくは、要素は、それらが二つの基材間に配置されるように、一方の基材の側面に対面する他方の基材の側面に対し適用される。
【００１８】
前記要素が基材間に配置された状態で、基材が別の基材とラミネート（積層）されてもよい。要素は、一基材の表面に対し直接的に、または基材間に配置されるフィルムに対して適用されてもよい。前者の場合、基材は好ましくは互いに接合されており、要素が取り付く基材の表面は、好ましくは、基材と要素との接着性を向上させて基材間の剥離を回避するような処理（例えばプラズマ処理）が施されている。後者の場合、フィルムは好ましくは、穴（開口）を介して基材の直接的接着ができるように穴あけ（開口形成）されている。
【００１９】
要素は、ラッカー（ラッカー塗料、樹脂ワニス）層のような保護層の背後に配置されてもよい。
【００２０】
一実施形態では、要素は、堆積(depositing)、即ち基材上へ又は基材に適用されたフィルム上へ、インクまたはその他の成形可能材料を堆積することで形成されてもよい。
【００２１】
好ましくは、要素は、基材またはフィルム上に均一色を堆積することで形成され、これにより、要素の透過率は、堆積されるインクまたはその他の成形可能材料の量を変えることで変化する。
【００２２】
好ましくは、インクまたはその他の成形可能材料は、基材またはフィルム上に、同じ濃度のインクのピクセル（インク素）を堆積することで適用され、これにより、透過率は、ピクセルの間隔および／またはその重なりの程度を変えることで変化される。
【００２３】
好ましくは、各要素の反射側面は、要素の前記第２サイドにおけるよりも前記第１サイドにおいてより多くのインクまたはインクのピクセル（インク素）を堆積し、それによって第２サイドに対する第１サイドの厚みを相対的に増すことで形成される。好ましくは、各要素の反射側面は、広範なスペクトルの入射光を反射する白色材料を堆積することで形成されてもよい。
【００２４】
商業的に入手可能な印刷装置は一般に、ホワイト（白）の先導プリントヘッドと、それに続くシアン、マゼンタ、イエローおよびブラックの三プリントヘッドを具備する。これらのいわゆるＣＭＹＫヘッドの後には、もう一つのホワイト（白）プリントヘッドが続く。１箇所でホワイトが堆積される回数で反射側面の厚みが制限されるように、各ヘッドは、制限された回数だけ同一物上を通過することができる。こうして、各要素の反射側面は、好ましくは、要素の前記第１サイドにおいて白インク上に複数色のインクを堆積し、更にその着色インクが、好ましくは当該着色インクを白インクが覆い隠すようなやり方で白インクによりオーバープリント（重ね刷り）されることで形成される。
【００２５】
各要素の光透過率は、当該要素の前記第１および第２サイド間で急激に、徐々にまたは線形的に（直線的に）変化してもよい。
【００２６】
各要素の厚みは、当該要素の前記第１および第２サイド間で急激に、徐々にまたは線形的に（直線的に）変化してもよい。
【００２７】
要素は、断面において三角形状または段差状であってもよい。
【００２８】
好ましくは、要素は色彩において略白色であり、その結果、各要素の側面は波長の広い範囲（広いスペクトル範囲）にわたって可視光を反射する。
【００２９】
要素の側面は、金属化されていてもよく、または、入射光をほとんど吸収せずに反射する別の素材を備えていてもよい。
【００３０】
要素の前面または後面は、建物の外および／または内側の人々にとって着色された又は模様付けされた外観を提示すべく、少なくとも前記側面とは異なる色で形成されてもよい。
【００３１】
別の実施形態において、各要素は、基材に接着されるところの事前形成された三次元形状（立体形状）を備えてなる。
【００３２】
前記三次元形状（立体形状）は、前記第１サイドにおいて平面（形状）から変形させられたシート素材を備えてもよい。好ましくは、そのシートは、当該要素または各要素を形成する手段を印刷されているか又は具備するものである。この手段は、第１区域(region)と第２区域(region)とを備えている。その第１区域は、要素の第１サイドから第２サイドまで幅に沿って変化する光透過率を有しており、前記第１サイドは前記第２サイドよりも光透過性に劣っている。第１サイドにある第２区域は反射性である。そして、前記シートは、前記第２区域が当該シートの平面から外に延び出し、且つ、基材の平面と略平行な方向を向くと共に一連の隣接する要素とほぼ同じ方向に面している前記反射面を提供するように変形されている。
【００３３】
好ましくは、前記シートは、各要素をそれぞれに形成する空間的に隔てられた平行なライン（線）を印刷されているか又は具備している。各ラインは、第１の縦長区域(longitudinal region)と、第２の縦長区域(longitudinal region)とを備えている。その第１の縦長区域は、第１サイドから第２サイドまでその幅に沿って変化する光透過率を有しており、前記第１サイドは前記第２サイドよりも光透過性に劣っている。第１サイドにある第２の縦長区域は反射性である。そして、前記シートは、前記第２区域が当該シートの平面から外に延び出し、且つ、基材の平面と略平行な方向を向くと共に連続する隣接要素とほぼ同じ方向に面している前記反射面を提供するように変形されている。好ましくは、前記ライン（群）が光の通過を許容するクリヤー（透明）なライン（群）によって分離されるように、前記シートはクリヤー（透明）である。
【００３４】
また、本発明によれば、前記したような窓ガラスパネルを形成する方法が提供される。この方法は次の工程（群）、即ち、
窓ガラスパネルが設けられるべき場所に入射される外光を調査する工程と、
前記調査（の結果）に応じて、少なくとも、空間的に分離した要素、要素の反射面の高さ、並びに、要素の第１および第２サイド間の距離のパラメータを選択的に変更する工程と、
それ（前記選択パラメータ）に応じた前記要素を前記基材に適用する工程とからなる。
【００３５】
この方法は、既に本来の場所にある基材パネル上、または本来の場所に設置するための基材パネル上に実施されてもよい。
【００３６】
なお、日中における光の変化、外部的に日除けされた領域、または当該パネルを通過する光が制御されることを必要とする建物内の面積を考慮して、前記パラメータを前記基材の領域にわたり変化させてもよい。
【００３７】
本発明の実施形態を、事例を通して且つ添付の図面を参照して以下に説明する。
【図面の簡単な説明】
【００３８】
【図１】図１は、本発明に従う窓ガラスパネルの第１実施形態の断面図。
【図２】図２は、図１の窓ガラスパネルの光学要素の拡大断面図。
【図３】図３は、本発明に従う窓ガラスパネルの第２実施形態の光学要素の拡大断面図。
【図４】図４は、本発明に従う窓ガラスパネルの第３実施形態の光学要素の拡大断面図。
【図５】図５は、本発明に従う窓ガラスパネルの第４実施形態の光学要素の拡大断面図。
【図６】図６は、本発明に従う窓ガラスパネルの第５実施形態の光学要素の拡大断面図。
【図７】図７は、本発明に従う窓ガラスパネルの第６実施形態の正面図。
【図８】図８は、本発明に従う窓ガラスパネルの第７実施形態の正面図。
【図９】図９は、本発明に従う窓ガラスパネルの第８実施形態の断面図。
【図１０】図１０は、本発明に従う窓ガラスパネルの第９実施形態の断面図。
【図１１】図１１は、本発明に従う窓ガラスパネルの第１０実施形態の断面図。
【図１２】図１２は、本発明に従う窓ガラスパネルの第１１実施形態の断面図。
【図１３】図１３は、本発明に従う窓ガラスパネルの第１２実施形態の断面図。
【図１４】図１４は、本発明に従う窓ガラスパネルの第１３実施形態を形成するためのシートの斜視図であって、成形されていないシートの斜視図。
【図１５】図１５は、図１４のシートが成形されたときの斜視図。
【発明を実施するための形態】
【００３９】
図１及び図２には、本発明に従う窓ガラスパネル１０の第１実施形態が図示されている。その窓ガラスパネルは、ガラスまたは他の透明材料（例えばプラスチック）からなる基材パネル１１を備える。基材１１の両側エッジ間には、水平で平行なライン形状（線体形状）で延びる複数の光学要素１２が展開している。
【００４０】
光学要素１２は、デジタル方式で基材１１の内側面上に直接的にプリント（印刷）されている。各要素１２は概して断面三角形状であり、基材１１の面に対し直角に横たわるほぼ平らな上面を備えている。各要素１２の厚さは、その低面側エッジに向かうにつれて徐々に薄くなっている。各要素１２は、白色または明色の一連のピクセルを堆積することで構成されている。その際、要素の厚さは、ピクセル間の間隔および／またはピクセルの重なりの程度を調節することで変えられる。つまり、各要素１２の最も厚い部分は、より濃密な配列で重なり合うピクセルを堆積することで形成され、その一方で、相対的に薄い区域は、広く間隔を隔てたピクセルを堆積することで形成される。図示された例では、インク濃度（即ちピクセルの密度）は、上側エッジでの１００％から下側エッジでの１０％まで線形的に（直線的に）変えられている。
【００４１】
各要素１２の上面は、基材１１の表面からの高さＸを有するいわゆる光棚板１３を形成（定義）する。各光棚板１３は、幅Ｙを有する基材１１の印刷されていない隣接透明領域１４に面している。距離ＸおよびＹは可変パラメータであり、両者は等しいことが好ましい。
【００４２】
要素１２は、基材１１を通して窓ガラスパネル１０の外部に向けられた内側面、即ちいわゆるギラつき光制御パネル１５を備えている。各ギラつき光制御パネル１５の幅Ｚもまた可変パラメータであり、それは、Ｙに対し反比例的に変化することが好ましい。
【００４３】
使用時、太陽光Ｓ１，Ｓ２が、上空から窓ガラスパネル１０に降り注ぐ。すると、入射光の一部、例えばＳ１は、要素１２の上面により形成されるいわゆる光棚板１３を直射する。そして、窓ガラスパネルを通過して建物内の人々や作業面上に降り注ぐ代わりに、入射光の一部が室内に向かって上向き反射され、入射光と等しい角度で向きを変えられる。いずれの反射光も減衰されず、室内に進入する反射光のレベル（強度）は、パルネを真っ直ぐに通過してきた場合と同じであることが好ましい。
【００４４】
他の入射光、例えばＳ２は、いわゆるギラつき光制御パネル１５を直射する。そのギラつき光制御パネル１５は、パネルの特性に応じて光を反射し、減衰し、分散し、それによって、室内に直接的に差し込む光をよりソフトでより分散したものにする。通過光の色は、ギラつき光制御パネル１５に使用されているインクの色を調節することで変えられる。直接光の量は、ギラつき光制御パネル１５の幅Ｚを調節することで変えられる。反射光の量は、光棚板１３の高さＸを変更することで調節され得る。
【００４５】
図面の図３で示す第２実施形態では、光棚板１３は、金属化されているか又は反射性の層２０で被覆されている。あるいはまた、層２０は、上側エッジにおいてもっと反射性の強い色彩をもった要素１２を堆積することで形成されてもよい。
【００４６】
図面の図４で示す第３実施形態では、ギラつき光制御パネル１５の外面は、当該窓ガラスパネルの外面に着色外観を付与すべく、異なった色の層２１でプリント（印刷）されている。各要素１２の層２１は、あるいは、イメージ（画像）の異なる部分を受け持つことができる。変更例においては、当該ギラつき光制御パネルの内側に着色外観を付与するために、層が要素１２の内側面上に設けられてもよい。
【００４７】
図面の図５で示す第４実施形態では、要素１２の上側エッジが高濃度インクでプリント（印刷）されて光棚板１３を提供し、その後にインクの濃度が急変して、図に示すような、均一な光透過率を有するギラつき光制御パネル１５を提供する。変更例においては、ギラつき光制御パネル１５が可変の光透過率を有してもよい。
【００４８】
図面の図６で示す第５実施形態では、ギラつき光制御パネル１５は、インク濃度が上側サイドエッジでの１００％から下側サイドエッジでの１０％まで変化する状態で白色にプリント（印刷）されている。そして、要素１２の上側エッジは、固体インクからなる直立ブロック２９を形成すべく、例えばシアン、マゼンタ、イエロー及びブラック（ＣＭＹＫ）の複数色インクで重ね刷り（オーバープリント）されている。更にブロック２９は白インク３０で重ね刷りされており、この白インク３０はブロック２９の側面を覆い隠して光棚板１３を提供する。
【００４９】
図面の図７で示す第６実施形態では、要素１２がアレー状に（配列状態で）プリント（印刷）されており、各要素は三日月形に形作られると共に、光棚板１３を形成する凹面状の上面を有している。光棚板１３が向いている方向は、日中の光の変化を考えて窓ガラスパネルの幅に沿って変化してもよい。
【００５０】
図面の図８で示すように、透明領域の下側で上向きの光棚板１３には、当該光棚板１３の下に展開するギラつき光制御パネル１５が提供されるならば、要素１２はどのような形でもよいということは理解されるであろう。
【００５１】
図面の図９には、本発明に従う窓ガラスパネル１０の第８実施形態が示されており、それは図１及び図２の窓ガラスパネルに近似しており、同様の部材には同様の参照番号が付与されている。この実施形態では、光学要素１２は、基材１１の内面に適用されるフィルム２８上にデジタル方式でプリント（印刷）されている。
【００５２】
図面の図１０には、本発明に従う窓ガラスパネル１０の第９実施形態が示されており、それは図１及び図２の窓ガラスパネルに近似しており、同様の部材には同様の参照番号が付与されている。この実施形態では、光学要素１２は、基材１１の内面に適用されるフィルム（図示略）上にデジタル方式でプリント（印刷）されているか、又は、基材１１の内面上に直接的にプリント（印刷）されている。基材１１はもう一つの基材３１と平行に配置され、両基材１１，３１はそれらの周辺部においてサイド部材３２によって相互連結されて窓ガラスユニットを形成している。要素１２は、それらが二つの基材間に配置されるように基材１１の内面に配設されている。
【００５３】
図面の図１１には、本発明に従う窓ガラスパネルの第１０実施形態が示されている。この実施形態では、光学要素１２が、二つの基材１１，３１間に配置されたフィルム３３上に設けられており、それら（１１，３３，３１）は接合材料３５によって共にラミネート（積層）されている。フィルム３３には、接合材料３５が基材１１，３１を直接連結させると共にそれらの剥離を回避するために、複数の開口部３４が形成されている。
【００５４】
図面の図１２には、本発明に従う窓ガラスパネルの第１１実施形態が示されており、それは図１１の窓ガラスパネルに近似しており、同様の部材には同様の参照番号が付与されている。この実施形態では、基材の一方、例えば基材１１の内面には、スペクトル選択性層３６が設けられており、この層３６は、可視光の量および／またはパネルを通過する太陽エネルギー量をコントロールする。
【００５５】
図面の図１３には、本発明に従う窓ガラスパネル１０の第１２実施形態が示されており、それは図１及び図２の窓ガラスパネルに近似しており、同様の部材には同様の参照番号が付与されている。この実施形態では、要素１２は、ラッカー（ラッカー塗料）の保護層３７で覆われている。
【００５６】
図面の図１４には、本発明に従う窓ガラスパネルの第１３実施形態を形成するために、基材（図示略）に適用するためのシート４０が示されている。このシート４０は、透明プラスチックフィルム上に配置された複数の平行なストリップ又は帯４１を備える。各ストリップ又は帯４１は、広いスペクトル範囲の光を反射する反射性材料もしくは色（例えば白色）からなる縦長方向に延びる上側ライン４２と、縦長方向に延びる中央ライン４３と、透過率がライン上縁からライン下縁まで徐々に増大する材料からなる軸方向に延びる下側ライン４４とを備える。各ストリップ又は帯４１は、透明なままの区域４５によって隣のストリップ又は帯４１から分離されている。
【００５７】
図面の図１５で示すように、シート４０は各ストリップ又は帯４１に沿って畳まれて、例えば反射性材料からなる前記軸方向に延びる上側ライン４２を伴うと共にいわゆる光棚板を形成（定義）する上面を持った凸部４６を提供する。可変透過率材料からなるライン４４は、前記凸部４６の下に展開し、いわゆるギラつき光制御パネルを提供する。シート４０は、一対の半割型の間で変形することにより折り畳まれてもよい。いったん成形されると、シート４０はガラスのシートに接着される。変更例において、各要素は、ガラスのシートに接着するためのプロファイルされた（形状化された）個別部材として提供されてもよい。
【００５８】
このように本発明は、太陽に面するガラスパネル又は外部パネルを通過し又はそれに作用する光の量を管理及び制御するために、印刷表面の所望位置にデジタル方式で提供できる、様々なサイズおよび印刷密度で設計および印刷されたパターンのシステムを提供する。要素の基材パネルからの光学的な高さおよび要素の密度は、特定の用途に合わせて変化させることができる。
【図１】
0005389670.tif 000002
【図２】
0005389670.tif 000003
【図３】
0005389670.tif 000004
【図４】
0005389670.tif 000005
【図５】
0005389670.tif 000006
【図６】
0005389670.tif 000007
【図７】
0005389670.tif 000008
【図８】
0005389670.tif 000009
【図９】
0005389670.tif 000010
【図１０】
0005389670.tif 000011
【図１１】
0005389670.tif 000012
【図１２】
0005389670.tif 000013
【図１３】
0005389670.tif 000014
【図１４】
0005389670.tif 000015
【図１５】
0005389670.tif 000016